(57)【要約】【課題】発光ダイオードによる内照式看板における広告板の明るさのムラを、簡単な内部構造で、重量も増加させることなく低減できるようにすることである。【解決手段】矩形状の看板枠１の対向する縦辺の内面側に、複数の発光ダイオード３を共通の細長基板４に配列したＬＥＤ蛍光灯５を、互いに対向する相手方の縦辺に向けて取り付け、これらのＬＥＤ蛍光灯５から所定の照射角で拡がる光を、相手方の縦辺側の広告板２ａ、２ｂの裏面に斜めに照射して、これらの両方の縦辺側から斜めに照射される光の照射領域が、各広告板２ａ、２ｂの裏面を対向する縦辺間の全域でカバーするようにすることにより、簡単な内部構造で、重量も増加させることなく、各広告板２ａ、２ｂの明るさのムラを低減することができるようにした。【選択図】図５
0003157255.tif 000002
【実用新案登録請求の範囲】
【請求項１】
矩形状の看板枠の片面側または両面側に光を透過する広告板を設け、内部に配置した発光ダイオードの光源から前記広告板の裏面に光を照射する内照式看板において、前記矩形状の看板枠の対向する２辺の内面側に沿って、複数の前記発光ダイオードを、互いに対向する相手方の辺に向けて配列し、これらの発光ダイオードから所定の照射角で拡がる光を、相手方の辺側の前記広告板の裏面に斜めに照射し、これらの両方の辺側から斜めに照射される光の照射領域が、前記広告板の裏面を前記対向する辺間の全域でカバーするようにしたことを特徴とする内照式看板。
【請求項２】
前記発光ダイオードの先端にレンズを取り付けて、前記照射角の拡がりを調整し、前記両方の辺側から斜めに広告板の裏面に照射される光の照射領域のラップ量が少なくなるようにした請求項１に記載の内照式看板。
【請求項３】
前記対向する各辺の内面側に沿って配列した複数の発光ダイオードの全部または一部を、各辺の内面側に沿わせて配置され、共通の電源端子を設けた細長基板に配列した請求項１または２に記載の内照式看板。
【請求項４】
前記広告板を前記看板枠の両面側に設け、これらの両面側の各広告板の裏面に光を照射する前記発光ダイオードを、前記看板枠の対向する２辺の内面側に沿って別々に配列した請求項１乃至３のいずれかに記載の内照式看板。
【考案の詳細な説明】
【技術分野】
【０００１】
本考案は、文字や絵等が描かれた広告板の裏面に内側から光を照射して、広告板を照明する内照式看板に関する。
【背景技術】
【０００２】
内照式看板は、看板枠の片面側または両面側に、文字や絵等が描かれた光を透過する広告板を設け、内部に配置した光源から広告板の裏面に光を照射して、夜間でも広告板を視認できるように照明するものであり、看板枠の形状は殆どのものが矩形状とされている。以前は、看板の光源には蛍光灯が多く用いられていたが、蛍光灯は寿命が短くメンテナンス周期が短くなることや、消費電力が大きくなることから、近年は、発光ダイオードが用いられるようになってきている。
【０００３】
発光ダイオードは寿命が長く、少ない消費電力で高い輝度が得られるが、光が拡がる照射角が１２０°程度以下となり、蛍光灯よりも光の指向性が高いので、そのまま広告板の裏面に光を照射すると、広告板に明るさのムラが生じる問題がある。このような広告板の明るさのムラを低減する手段としては、反射板を介して広告板に光を照射する手段（例えば、特許文献１参照）や、光分散部材を介して広告板に光を照射する手段（例えば、特許文献２参照）が提案されている。また、広告板自体に光拡散性を持たせる手段（例えば、特許文献３参照）も提案されている。
【０００４】
特許文献１に記載されたものは、図６に示すように、両面側に広告板５１が設けられた内照式看板の内部に、傾斜させた反射板５２を配置し、広告板５１と平行に向けた各発光ダイオード５３の光を反射板５２に反射させて、両面側の広告板５１の裏面に照射するようにしている。
【０００５】
特許文献２に記載されたものは、図７に示すように、両面側の広告板５１の裏面に直角に向けた各発光ダイオード５３を椀状の光分散部材５４で覆い、各発光ダイオード５３の光を光分散部材５４に通して、両面側の広告板５１の裏面に照射するようにしている。
【先行技術文献】
【特許文献】
【０００６】
【特許文献１】実用新案登録第３１３３０１４号公報
【特許文献２】特開２００６−３１３２７１号公報
【特許文献３】特開２００５−２８３８８９号公報
【考案の概要】
【考案が解決しようとする課題】
【０００７】
特許文献１、２に記載されたように、内部に反射板や光分散部材を配置した発光ダイオードによる内照式看板は、内部構造が複雑になり、重量も増加する問題がある。また、広告板の面積が大きいものでは、看板枠に補強部材が差し渡されるので、反射板や光分散部材が補強部材と干渉しないようにする必要もある。
【０００８】
一方、特許文献３に記載されたように、広告板自体に光拡散性を持たせた内照式看板は、内部構造は簡単にできるが、光拡散性を持たせた広告板が、肉厚が厚くて高価なものとなり、面積が大きいものは重量もかなり重くなるので、あまり実用的ではない。
【０００９】
そこで、本考案の課題は、発光ダイオードによる内照式看板における広告板の明るさのムラを、簡単な内部構造で、重量も増加させることなく低減できるようにすることである。
【課題を解決するための手段】
【００１０】
上記の課題を解決するために、本考案は、矩形状の看板枠の片面側または両面側に光を透過する広告板を設け、内部に配置した発光ダイオードの光源から前記広告板の裏面に光を照射する内照式看板において、前記矩形状の看板枠の対向する２辺の内面側に沿って、複数の前記発光ダイオードを、互いに対向する相手方の辺に向けて配列し、これらの発光ダイオードから所定の照射角で拡がる光を、相手方の辺側の前記広告板の裏面に斜めに照射し、これらの両方の辺側から斜めに照射される光の照射領域が、前記広告板の裏面を前記対向する辺間の全域でカバーするようにした構成を採用した。
【００１１】
すなわち、看板枠の対向する２辺の内面側に沿って、互いに対向する相手方の辺に向けて配列した発光ダイオードの光を、相手方の辺側の広告板の裏面に斜めに照射することにより、指向性の高い発光ダイオードによる広告板の裏面の照射領域を拡げ、両方の辺側から斜めに照射されて所定の照射角で拡がる発光ダイオードの光の照射領域が、広告板の裏面を対向する辺間の全域でカバーするようにすることにより、反射板や光分散部材を不要として、簡単な内部構造で、重量も増加させることなく、広告板の明るさのムラを低減できるようにした。また、この内照式看板は、看板枠の内面側に沿って発光ダイオードを配列したので、光源取り付け用の余分な梁部材を差し渡たす必要がなく、看板枠の内部構造をより簡単にできるとともに、重量もより軽減することができる。
【００１２】
前記発光ダイオードの先端にレンズを取り付けて、前記照射角の拡がりを調整し、前記両方の辺側から斜めに広告板の裏面に照射される光の照射領域のラップ量が少なくなるようにすることにより、余分な照射領域を減らして、効率よく広告板を照明することができる。
【００１３】
前記対向する各辺の内面側に沿って配列した複数の発光ダイオードの全部または一部を、各辺の内面側に沿わせて配置され、共通の電源端子を設けた細長基板に配列することにより、発光ダイオードの取り付けやメンテナンスを容易に行うことができる。
【００１４】
前記広告板を前記看板枠の両面側に設ける場合は、これらの両面側の各広告板の裏面に光を照射する前記発光ダイオードを、前記看板枠の対向する２辺の内面側に沿って別々に配列するとよい。
【考案の効果】
【００１５】
本考案の内照式看板は、矩形状の看板枠の対向する２辺の内面側に沿って、複数の発光ダイオードを、互いに対向する相手方の辺に向けて配列し、これらの発光ダイオードから所定の照射角で拡がる光を、相手方の辺側の広告板の裏面に斜めに照射し、これらの両方の辺側から斜めに照射される光の照射領域が、広告板の裏面を対向する辺間の全域でカバーするようにしたので、簡単な内部構造で、重量も増加させることなく、広告板の明るさのムラを低減することができる。また、この内照式看板は、看板枠の内面側に沿って発光ダイオードを配列したので、光源取り付け用の余分な梁部材を差し渡たす必要がなく、看板枠の内部構造をより簡単にできるとともに、重量もより軽減することができる。
【図面の簡単な説明】
【００１６】
【図１】（ａ）は内照式看板の実施形態を示す一部省略縦断正面図、（ｂ）は（ａ）の縦断側面図
【図２】図１の内照式看板の一部切欠き外観斜視図
【図３】（ａ）は図１のＬＥＤ蛍光灯を示す一部省略正面図、（ｂ）は（ａ）のIIIb−IIIb線に沿った断面図
【図４】（ａ）は図１（ｂ）の上部を拡大して示す縦断側面図、（ｂ）は（ａ）のIVb−IVb線に沿った断面図
【図５】図４（ａ）のＶ−Ｖ線に沿った断面図
【図６】従来の内照式看板を示す縦断側面図
【図７】他の従来の内照式看板を示す横断面図
【考案を実施するための形態】
【００１７】
以下、図面に基づき、本考案の実施形態を説明する。この内照式看板は、図１（ａ）、（ｂ）および図２に示すように、縦長の矩形状の看板枠１の前面側と後面側に光を透過する広告板２ａ、２ｂを設け、建物等の外壁Ａに直角に取り付ける大寸法のものであり、看板枠１の対向する各縦辺の内面側に、後述するように、複数の発光ダイオード３を細長基板４に配列した、いわゆるＬＥＤ(Light Emitting Diode）蛍光灯５が、上下に２本ずつ前後に２列に取り付けられている。看板枠１はアルミニウムで形成され、上下方向の中央部には、補強部材１ａが差し渡されている。
【００１８】
図３（ａ）、（ｂ）に示すように、前記ＬＥＤ蛍光灯５は、細長基板４の長手方向に発光ダイオード３を千鳥状に３列に配列し、樋状の支持部材６に支持した細長基板４を円筒状の透明なプラスチック管７で覆ったものであり、後述する蛍光灯用のソケット１０ａに適合する電源端子としての２本のピン端子８が両端に設けられている。３列に配列された各発光ダイオード３は、細長基板４の上面に垂直方向に向けて取り付けられ、その先端に照射角の拡がりを調整する凸レンズ９が取り付けられている。
【００１９】
図４（ａ）、（ｂ）に示すように、前記ＬＥＤ蛍光灯５は、通常の蛍光灯と同様に、蛍光灯保持具１０の両端のソケット１０ａにピン端子８を差し込まれて保持されている。蛍光灯保持具１０の上下部は、看板枠１の上下端部と中央部にそれぞれビス止めされた取り付け金具１１ａ、１１ｂに、樹脂製の取り付け板１２ａ、１２ｂを介してビス止めされている。したがって、看板枠１には取り付け金具１１ａ、１１ｂ用のビス孔のみが開けられ、これらのビス孔には防水処理が施されているので、内部に雨水等が浸入することはない。
【００２０】
また、前記各取り付け板１２ａ、１２ｂには、前後２列のＬＥＤ蛍光灯５の蛍光灯保持具１０が共用で取り付けられ、中央部の取り付け板１２ｂには、上側の蛍光灯保持具１０の下部と下側の蛍光灯保持具１０の上部が共用で取り付けられている。各取り付け板１２ａ、１２ｂの背面側には、看板枠１の内面に当接される絶縁性の緩衝部材１３が取り付けられている。
【００２１】
図５に示すように、前記発光ダイオード３を配列した前後２列のＬＥＤ蛍光灯５は、看板枠１の対向する各縦辺の内面側に、対向する相手方の縦辺に直角方向に向けて取り付けられており、前列のＬＥＤ蛍光灯５は前面側の広告板２ａの裏面を、後列のＬＥＤ蛍光灯５は後面側の広告板２ｂの裏面を、それぞれ相手方の縦辺側で斜めに照射するようになっている。なお、各列のＬＥＤ蛍光灯５は、両側の各広告板２ａ、２ｂ側へ斜め外側に向けて各縦辺に取り付けることもできる。
【００２２】
この実施形態では、前記各発光ダイオード３に取り付けた凸レンズ９によって、各ＬＥＤ蛍光灯５からの光の照射角θが約３０°に設定され、両方の縦辺側から斜めに照射される光の照射領域が、互いのラップ領域を少なくして、各広告板２ａ、２ｂの裏面を対向する縦辺間の全域でカバーするようになっている。したがって、各広告板２ａ、２ｂの明るさのムラが低減される。
【００２３】
上述した実施形態では、複数の発光ダイオードを共通の細長基板に配列したＬＥＤ蛍光灯を光源として用いたが、複数の発光ダイオードをそのまま看板枠の内面側に配列することもできる。
【００２４】
また、上述した実施形態では、内照式看板を両面側に広告板を設けたものとしたが、本考案に係る内照式看板は、片面側のみに広告板を設けたものにも採用することができる。
【符号の説明】
【００２５】
１  看板枠
１ａ  補強部材
２ａ、２ｂ  広告板
３  発光ダイオード
４  細長基板
５  ＬＥＤ蛍光灯
６  支持部材
７  プラスチック管
８  ピン端子
９  凸レンズ
１０  蛍光灯保持具
１０ａ  ソケット
１１ａ、１１ｂ  取り付け金具
１２ａ、１２ｂ  取り付け板
１３  緩衝部材
【図１】
0003157255.tif 000003
【図２】
0003157255.tif 000004
【図３】
0003157255.tif 000005
【図４】
0003157255.tif 000006
【図５】
0003157255.tif 000007
【図６】
0003157255.tif 000008
【図７】
0003157255.tif 000009